(57)【特許請求の範囲】
【請求項１】
建物躯体の開口部に取り付けられている既存サッシ枠に、リフォーム用サッシ枠を取り付けてなるリフォーム用サッシ枠の取付構造であって、
前記既存サッシ枠の上既存サッシ枠材に下地枠が取付けられ、該下地枠に対して前記リフォーム用サッシ枠の上リフォームサッシ枠材が固定されており、
前記上リフォームサッシ枠材は、室内外方向略中間の外周に固定部を有し、該固定部は前記上既存サッシ枠材の室外面に対して前記下地枠の室外面と共にネジ止め固定されると共に、前記固定部より室内側の位置で前記下地材に対してネジ止め固定され、前記上既存サッシ枠材は内周面に外レール部と内レール部とを備え、前記下地枠は前記上既存サッシ枠材の室外面から前記外レール部を跨ぐように設けられると共に、室内側端部が前記上既存サッシ枠材の内周面に当接してネジ止め固定されることを特徴とするリフォーム用サッシ枠の取付構造。
【発明の詳細な説明】
【技術分野】
【０００１】
本発明は、建物躯体の開口部に取り付けられている既存サッシ枠に、リフォーム用サッシ枠を取り付けてなるリフォーム用サッシ枠の取付構造に関するものである。
【背景技術】
【０００２】
従来、建物のリフォームや改装時にサッシを交換する際に、既存サッシ枠とリフォーム用サッシ枠を連結金具を介して溶接固設する方法が主流であったが、溶接作業時には絨毯、カーペット等の敷物、畳、家具類を運び出したり、延焼を防止するための養生を室内に施す必要があり面倒であるので、溶接によってリフォーム用サッシ枠を取り付けずに、ネジやボルト等で簡単に設置できるサッシの取替工法が知られている。そこで、この一例として、特許文献１記載の「サッシ取替工法用連結金具」が挙げられる。この技術では、開口部に設置された既存サッシ枠に、連結金具をボルトで固定し、その後、この連結金具に新設サッシ枠をボルトによって固定することにより新設サッシ枠を取り付けている。
【特許文献１】特開平７−２１７３２０号公報
【発明の開示】
【発明が解決しようとする課題】
【０００３】
しかし、従来のリフォーム用サッシ枠の取付構造は、リフォーム用サッシ枠の既存サッシ枠に対する取付強度を充分に確保することが難しく、また取付作業も手間のかかるものであった。本発明は、上記事情に鑑みてなされたもので、リフォーム用サッシ枠の既存サッシ枠に対する取付強度を向上させると共に、取付作業も簡易なリフォーム用サッシ枠の取付構造を提供することを課題としている。
【課題を解決するための手段】
【０００４】
上記課題を解決するために、請求項１の発明は、建物躯体の開口部に取り付けられている既存サッシ枠に、リフォーム用サッシ枠を取り付けてなるリフォーム用サッシ枠の取付構造であって、
前記既存サッシ枠の上既存サッシ枠材に下地枠が取付けられ、該下地枠に対して前記リフォーム用サッシ枠の上リフォームサッシ枠材が固定されており、
前記上リフォームサッシ枠材は、室内外方向略中間の外周に固定部を有し、該固定部は前記上既存サッシ枠材の室外面に対して前記下地枠の室外面と共にネジ止め固定されると共に、前記固定部より室内側の位置で前記下地材に対してネジ止め固定され、前記上既存サッシ枠材は内周面に外レール部と内レール部とを備え、前記下地枠は前記上既存サッシ枠材の室外面から前記外レール部を跨ぐように設けられると共に、室内側端部が前記上既存サッシ枠材の内周面に当接してネジ止め固定されることを特徴とする。
【発明の効果】
【０００６】
請求項１の発明によれば、既存サッシ枠の上既存サッシ枠材に下地枠が取付けられ、下地枠に対してリフォーム用サッシ枠の上リフォームサッシ枠材が固定されており、上リフォームサッシ枠材は、室内外方向略中間の外周に固定部を有し、該固定部は上既存サッシ枠材の室外面に対して下地枠の室外面と共にネジ止め固定されると共に、固定部より室内側の位置で下地材に対してネジ止め固定されることにより、既存サッシ枠に対するリフォームサッシ枠の取付強度を向上させ、また取付作業も行いやすくすることができる。また、上既存サッシ枠材は内周面に外レール部と内レール部とを備え、下地枠は上既存サッシ枠材の室外面から外レール部を跨ぐように設けられると共に、室内側端部が上既存サッシ枠材の内周面に当接してネジ止め固定されることにより、下地枠の既存サッシ枠に対する取付強度を向上させることができる。
【発明を実施するための最良の形態】
【０００８】
以下、本発明の実施の形態を図面に基づいて説明する。図１は、本発明の実施の形態のリフォーム用サッシ枠の取付構造を示す平断面図、図２は、図１の拡大図、図３は、リフォーム用サッシ枠の取付構造を示す側断面図、図４は、下地枠の要部を示す斜視図、図５は、既存サッシ枠に下地枠を取り付ける様子を示す斜視図、図６は、下地枠にリフォーム用サッシ枠を取り付ける様子を示す斜視図、図７(a)〜(d)は、リフォーム用サッシ枠の取付方法を示す側断面図、図８は、サッシ枠形状確認治具の斜視図である。まず、本発明の実施の形態のリフォーム用サッシ枠の取付構造について説明する。図１〜図３および図５に示すように、建物躯体１の開口部２には既存サッシ枠３が取り付けられている。この既存サッシ枠３には下地枠４が取り付けられており、さらに、この下地枠４にはリフォーム用サッシ枠５が取り付けられている。
【０００９】
前記既存サッシ枠３は、開口部２を形成する内周面のうちの左右側面２aに取り付けられる縦既存サッシ枠材６と、上面２bに取り付けられる上既存サッシ枠材７と、下面２cに取り付けられる下既存サッシ枠材８とを備えている。前記縦既存サッシ枠材６は、図１および図２に示すように、平断面視略Ｌ字型をなしており、内周面の左右側面２aから開口部２周囲の外壁面２dに跨って配置されている。そして、縦既存サッシ枠材６は、外壁面２dにネジ９が打ち込まれる固定部１０と、窓部材（図示しない）がはめ込まれるレール部１１とを備えており、固定部１０から外壁面２dに向けてネジ９が打ち込まれることによって取り付けられている。
【００１０】
前記上既存サッシ枠材７および前記下既存サッシ枠材８は、図３に示すように、側断面視略Ｌ字型をなしており、内周面の上面２bから開口部２周囲の外壁面２dおよび内周面の下面２cから開口部２周囲の外壁面２dに跨ってそれぞれ配置されている。そして、上既存サッシ枠材７および下既存サッシ枠材８は、上下面２b,２cおよび外壁面２dにネジ９が打ち込まれる固定部１２，１３と、窓部材（図示しない）がはめ込まれるレール部１４，１５とを備えており、前記固定部１２，１３から上下面２b,２cおよび外壁面２dに向けてネジ９が打ち込まれることによって取り付けられている。
【００１１】
前記縦既存サッシ枠材６の端部と開口部２周囲の外壁面２dとの間には、それぞれに水密に密接するようにコーキング材１６が設けられている（図１および図２参照）。また、前記上既存サッシ枠材７の端部と開口部２周囲の外壁面２dとの間や下既存サッシ枠材８の端部と開口部２周囲の外壁面２dとの間にも、それぞれに水密に密接するようにコーキング材１６が設けられている（図３参照）。
【００１２】
前記下地枠４は、図４および図５に示すように、開口部２のコーナー部で既存サッシ枠３に取り付けられるコーナー部材１７と、該コーナー部材１７，１７どうしの間に介在されて既存サッシ枠３に取り付けられる中間部材１８とを備えている。前記コーナー部材１７は、樹脂からなる押出成形品であり、上既存サッシ枠材７および縦既存サッシ枠材６に取り付けられる第１コーナー部材１９（図４参照）と、下既存サッシ枠材８および縦既存サッシ枠材６に取り付けられる第２コーナー部材４１（図５参照）とを備えている。
【００１３】
前記第１コーナー部材１９は、上既存サッシ枠材７に固定される側断面視略コ字状の上枠用コーナー部２０と、縦既存サッシ枠材６に固定される平断面視略Ｌ字型の縦枠用コーナー部２１とを備えている。そして、上枠用コーナー部２０と縦枠用コーナー部２１とは、それぞれの端部どうしが一体に形成されている。また、コ字状をなす上枠用コーナー部２０の一方の片およびＬ字型をなす縦枠用コーナー部２１の一方の片に跨るようにして、この第１コーナー部材１９と既存サッシ枠３との間を水密に密接させるＬ字型の防水用ゴム材の第２の水密材２２が設けられている。
【００１４】
さらに、前記上枠用コーナー部２０と縦枠用コーナー部２１とは、既存サッシ枠３のレール部１４，１１を覆い、かつ、リフォーム用サッシ枠５の背面が当接される表面が平坦な覆い部２３を有している。また、この覆い部２３は、室外側を向き、かつ、同一平面上に位置する室外側見付面２３aを有している。そして、前記覆い部２３に、後述するが、リフォーム用サッシ枠５からネジ９が打ち込まれるようになっている。
【００１５】
前記第２コーナー部材４１は、図５に示すように、下既存サッシ枠材８に固定される側断面視略コ字状の下枠用コーナー部４２と、縦既存サッシ枠材６に固定される平断面視略Ｌ字型の縦枠用コーナー部４５とを備えている。この縦枠用コーナー部４５は、前記第１コーナー部材１９の縦枠用コーナー部２１の側断面と同様の形状をなしている。そして、下枠用コーナー部４２と縦枠用コーナー部４５とは、それぞれの端部どうしが一体に形成されている。
【００１６】
この第２コーナー部材４１にも、該第２コーナー部材４１と既存サッシ枠３との間を水密に密接させる第２の水密材２２が設けられている。また、前記下枠用コーナー部４２と縦枠用コーナー部４５とは、既存サッシ枠３のレール部１５，１１を覆い、かつ、リフォーム用サッシ枠５の背面が当接される表面が平坦な覆い部２３を有している。また、この覆い部２３には、室外側を向き、かつ、同一平面上に位置する室外側見付面２３aを有している。そして、この覆い部２３に、後述するが、リフォーム用サッシ枠５からネジ９が打ち込まれるようになっている。
【００１７】
前記中間部材１８は、図４および図５に示すように、側断面視略コ字状で、樹脂からなる押出成形品であり、２つの第１コーナー部材１９，１９間に介在されて、それぞれに接合される上枠用中間部材２４と、第１コーナー部材１９の縦枠用コーナー部２１と第２コーナー部材４１の縦枠用コーナー部４５との間に介在されて、それぞれに接合される縦枠用中間部材４６と、２つの第２コーナー部材４１，４１間に介在されて、それぞれに接合される下枠用中間部材４７とを備えている。
【００１８】
前記上枠用中間部材２４、縦枠用中間部材４６、下枠用中間部材４７は、それぞれ、既存サッシ枠３のレール部１１，１４，１５を覆い、かつ、リフォーム用サッシ枠５の背面が当接される表面が平坦な覆い部２３を有している。また、この覆い部２３には、室外側を向き、かつ、同一平面上に位置する室外側見付面２３aを有している。そして、この覆い部２３に、後述するが、リフォーム用サッシ枠５からネジ９が打ち込まれるようになっている。
【００１９】
そして、前記上枠用中間部材２４と２つの第１コーナー部材１９，１９の上枠用コーナー部２０，２０とは、それぞれの端面どうしを突き合わせて接合されるとともに、この接合された接合部分２５に防水シート２６（例えば、ブチルテープ）が貼り付けられている。同様に、前記縦枠用中間部材４６と第１コーナー部材１９および第２コーナー部材４１、下枠用中間部材４７と２つの第２コーナー部材４１，４１とは、接合された接合部分２５に防水シート２６が貼り付けられている。
【００２０】
前記リフォーム用サッシ枠５は、図１、図３、図６に示すように、開口部２を形成する内周面のうちの左右側面２aに取り付けられる縦リフォーム用サッシ枠材２７と、上面２bに取り付けられる上リフォーム用サッシ枠材２８と、下面２cに取り付けられる下リフォーム用サッシ枠材２９とを備えている。
【００２１】
前記縦リフォーム用サッシ枠材２７は、図１および図２に示すように、平面視略矩形状をなしており、内周面の左右側面２aから前記下地枠４にネジ９が打ち込まれる固定部３０と、窓部材（図示しない）がはめ込まれるレール部３１とを備えており、この固定部３０から下地枠４に向けてネジ９が打ち込まれることによって下地枠４に固定されている。
【００２２】
前記上リフォーム用サッシ枠材２８は、図３に示すように、平面視略矩形状をなしており、内周面の上面２bに取り付けられた下地枠４にネジ９が打ち込まれる固定部３２と、窓部材（図示しない）がはめ込まれるレール部３３とを備えており、この固定部３２から下地枠４にネジ９が打ち込まれることによって取り付けられている。
【００２３】
前記下リフォーム用サッシ枠材２９は、図３に示すように、平面視略矩形状をなしており、内周面の下面２cに取り付けられた下地枠４にネジ９が打ち込まれる固定部３４と、窓部材（図示しない）がはめ込まれるレール部３５とを備えており、この固定部３４から下地枠４にネジ９が打ち込まれることによって取り付けられている。
【００２４】
なお、このように縦リフォーム用サッシ枠材２７、上リフォーム用サッシ枠材２８、下リフォーム用サッシ枠材２９は、下地枠４の覆い部２３にそれぞれのリフォーム用サッシ枠材５の背面を当接させて取り付けられている。また、縦リフォーム用サッシ枠材２７と上リフォーム用サッシ枠材２８とは、下地枠２３の覆い部２３に板状の調整材３６（図６では図示しない）が挟み込まれたうえで取り付けられている。
【００２５】
また、縦リフォーム用サッシ枠材２７の外壁面２d側の端部と、下地枠４の室外側見付面２３aとの間や、上リフォーム用サッシ枠材２８の外壁面２d側の端部と、下地枠４の室外側見付面２３aとの間、下リフォーム用サッシ枠材２９の外壁面２d側の端部と、下地枠４の室外側見付面２３aとの間には、防水用ゴム材の第１の水密材３７がそれぞれに密接して設けられている。
【００２６】
さらに、縦リフォーム用サッシ枠材２７の外壁面２d側の端部と、下地枠４の外壁面２d側の端部において、これらの外側を覆うようにしてコーキング材３８が設けられている。同様に、上リフォーム用サッシ枠材２８の外壁面２d側の端部と、下地枠４の外壁面２d側の端部において、これらの外側を塞ぐようにしてコーキング材３８が設けられている。
【００２７】
また、開口部２周囲の外壁面２dには、外壁材３９が取り付けられており、この外壁材３９の開口部２側の端部とリフォーム用サッシ枠５との間には、第３の水密材４０が外壁材３９とリフォーム用サッシ枠５とに密接して設けられている。一方、開口部２周囲の内壁面２e側には、既存サッシ枠３に当接して化粧枠４４が取り付けられている。
【００２８】
次に、建物躯体１の開口部２に取り付けられている既存サッシ枠３に、リフォーム用サッシ枠５を取り付けるリフォーム用サッシ枠５の取付方法について、図７(a)〜(d)を参照して説明する。なお、図７(a)〜(d)は、開口部２の下面２cに取り付けられている下既存サッシ枠材８に下リフォーム用サッシ枠材２９を取り付ける取付方法を示す側断面図であり、縦既存サッシ枠材６や上既存サッシ枠材７に、縦リフォーム用サッシ枠材２７や上リフォーム用サッシ枠材２８を取り付ける取付方法を示す側断面図は省略しているが、図７(a)〜(d)に基づいて、縦既存サッシ枠材６や上既存サッシ枠材７に、縦リフォーム用サッシ枠材２７や上リフォーム用サッシ枠材２８を取り付ける取付方法についても説明する。
【００２９】
図７(a)では、建物躯体１の開口部２の内周面に既存サッシ枠３の下既存サッシ枠材８が取り付けられている。
【００３０】
そして、図７(b)に示すように、サッシ枠形状確認治具４３を使用して、例えば、下既存サッシ枠材８に、取り付けられる縦既存サッシ枠材６を確認する。前記サッシ枠形状確認治具４３は、図８に示すように、６面体で、そのうちの３つの面が、例えば、下既存サッシ枠材８の平断面形状Ａや、該下既存サッシ枠材８に取り付けられる縦既存サッシ枠材６の側断面形状Ｂ、開口部２周囲の内壁面２e側で、かつ、下既存サッシ枠材８に取り付けられる化粧枠４４の平断面形状Ｃをなしているものである。このようなサッシ枠形状確認治具４３の３つの面のうちの縦既存サッシ枠材６の断面形状Ｂの面を矢印方向に向けて、開口部２に取り付けられている下既存サッシ枠材８にはめ込み、はめ込まれた断面形状と同形状をなす縦既存サッシ枠材６を下既存サッシ枠材８に取り付ける。
【００３１】
同様にして、縦既存サッシ枠材７に、取り付けられる上既存サッシ枠材７を確認する。つまり、上既存サッシ枠材７の平断面形状や、該上既存サッシ枠材７に取り付けられる縦既存サッシ枠材６の側断面形状、開口部２周囲の内壁面２e側で、かつ、上既存サッシ枠材７に取り付けられる化粧枠４４の平断面形状を備えたサッシ枠形状確認治具（図示しない）を使用して、縦既存サッシ枠材７に取り付けられる上既存サッシ枠材７を確認し、該上既存サッシ枠材７を縦既存サッシ枠材６に取り付ける。
【００３２】
次いで、上述したようにして開口部２に取り付けられた既存サッシ枠３に下地枠４を取り付ける。すなわち、図５に示すように、予め、下地枠４の第１コーナー部材１９、第２コーナー部材４１、上枠用中間部材２４、下枠用中間部材４７、縦枠用中間部材４６に、既存サッシ枠３と水密に密接する第２の水密材２２を取り付けておく。
【００３３】
そして、図５および図７(c)に示すように、既存サッシ枠３の縦既存サッシ枠材６、上既存サッシ枠材７、下既存サッシ枠材８に、それぞれのレール部１１，１４，１５を覆うようにして下地枠４を取り付ける。つまり、まず、開口部２のコーナー部に第１コーナー部材１９と第２コーナー部材４１とをそれぞれネジ９によって固定し、その後、第１コーナー部材１９，１９どうしの間に上枠用中間部材２４を配置させて、それぞれの端部どうしを突き合わせてネジ９によって固定する。そして、接合部分２５に防水シート２６を貼り付ける。同様にして、第２コーナー部材４１，４１どうしの間に下枠用中間部材４７、第１コーナー部材１９と第２コーナー部材４１との間に縦枠用中間部材４６をそれぞれ配置させて、端部どうしを突き合わせてネジ９によって固定し、接合部分２５に防水シート２６を貼り付ける。
【００３４】
このようにして下地枠４を取り付けることによって、縦既存サッシ枠材６に、第１コーナー部材１９の縦枠用コーナー部２１と第２コーナー部材４１の縦枠用コーナー部４５と縦枠用中間部材４６が配置され、上既存サッシ枠材７に、第１コーナー部材１９の上枠用コーナー部２０、上枠用中間部材２４が配置され、下既存サッシ枠材８に、第２コーナー部材４１の下枠用コーナー部４２、下枠用中間部材４７が配置される。ここで、下地枠４のそれぞれの部材に取り付けられた第２の水密材２２は、既存サッシ枠３との間に位置して、既存サッシ枠３と水密に密接するようになっている。
【００３５】
次いで、図７(d)に示すように、第１コーナー部材１９、第２コーナー部材４１、縦枠用中間部材４６の覆い部２３にそれぞれ調整材３６（図６では図示しない）を設けて、この調整材３６にリフォーム用サッシ枠５の背面を当接させる。すなわち、図６に示すように、予め、縦リフォーム用サッシ枠材２７、上リフォーム用サッシ枠材２８、下リフォーム用サッシ枠材２９とを矩形枠状に組み付けて、リフォーム用サッシ枠５としておく。
【００３６】
なお、このように縦リフォーム用サッシ枠材２７、上リフォーム用サッシ枠材２８、下リフォーム用サッシ枠材２９をそれぞれ組み付けてリフォーム用サッシ枠５とする場合においても、例えば、上述したように、適宜設定された断面形状を備えたサッシ枠形状確認治具を使用することにより組み付けると良い。
【００３７】
また、このリフォーム用サッシ枠５の縦リフォーム用サッシ枠材２７、上リフォーム用サッシ枠材２８、下リフォーム用サッシ枠材２９の外壁面２d側に位置する端部、すなわち、下地枠４の室外側見付面２３aと当接する部分に、リフォーム用サッシ枠５と下地枠４とにそれぞれ水密に密接する第１の水密材３７を取り付けておく。
【００３８】
そして、第１コーナー部材１９の縦枠用コーナー部２１および第２コーナー部材４１の縦枠用コーナー部４５、縦枠用中間部材４６に、縦リフォーム用サッシ枠材２７が配置され、第１コーナー部材１９の上枠用コーナー部２０および上枠用中間部材２４に、上リフォーム用サッシ枠材２８が配置され、第２コーナー部材４１の下枠用コーナー部４２および下枠用中間部材４７に、下リフォーム用サッシ枠材２９が配置されるようにして、調整材３６（下リフォーム用サッシ枠材２９と下地枠４との間には設けられていないので、図７(d)では図示しない。）を挟み込むともに、それぞれの固定部３０，３２，３４からネジ９を打ち込むことによって取り付ける。
【００３９】
ここで、リフォーム用サッシ枠５のそれぞれの部材に取り付けられた第１の水密材３７は、下地枠４の室外側見付面２３aに当接し、リフォーム用サッシ枠５と室外側見付面２３aとにそれぞれ水密に密接するようになっている。なお、図６におけるリフォーム用サッシ枠５は、裏面から見たリフォーム用サッシ枠５の図であって、このリフォーム用サッシ枠５を下地枠４に取り付ける場合には、正面側を裏側に反転させることによって取り付けられる。
【００４０】
このようにして、下地枠４にリフォーム用サッシ枠５を取り付けた後に、縦リフォーム用サッシ枠材２７の外壁面２d側の端部、上リフォーム用サッシ枠材２８の外壁面２d側の端部と、下地枠４の外壁面２d側の端部において、これらの外側を塞ぐようにしてコーキング材３８（図１〜図３参照）を設ける。
【００４１】
その後、開口部２周囲の外壁面２dに外壁材３９を取り付ける。そして、この外壁材３０の開口部２側の端部とリフォーム用サッシ枠５との間に、第３の水密材４０（図１〜図３参照）を外壁材３９とリフォーム用サッシ枠５とに密接するようにして設ける。また、開口部２周囲の内壁面２e側には、既存サッシ枠３に当接するようにして化粧枠４４を取り付ける。
【００４２】
本発明の実施の形態によれば、既存サッシ枠３に取り付けられた下地枠４とリフォーム用サッシ枠５との間には、第１の水密材３７が密接して設けられており、下地枠４と既存サッシ枠３との間には、第２の水密材２２が密接して設けられているので、第１の水密材３７によって下地枠４とリフォーム用サッシ枠５との間の水密性を確保することができるとともに、第２の水密材２２によって下地枠４と既存サッシ枠３との間の水密性を確保することができる。したがって、２重に防水されるので防水性をより高めることができる。また、第１の水密材３７によって、下地枠４にリフォーム用サッシ枠５を確実に固定することができ、第２の水密材２２によって、既存サッシ枠３に下地枠４を確実に固定することができる。
【００４３】
前記下地枠４は、既存サッシ枠３のレール部１１，１４，１５を覆い、かつ、リフォーム用サッシ枠５の背面が当接される表面が平坦な覆い部２３を有しているので、リフォーム用サッシ枠５の背面を、覆い部２３に容易に当接することができ、よって、リフォーム用サッシ枠５を下地枠４にがたつくことなく確実に取り付けることができ、また、新規と同じ要領で開口部２にリフォーム用サッシ枠５を容易に取り付けることができる。
【００４４】
前記下地枠４は、室外側を向き、かつ、同一平面上に位置する室外側見付面２３aを有しているので、この室外側見付面２３aがリフォーム用サッシ枠５を保持する取付面となり、リフォーム用サッシ枠５を室外側見付面２３aに均一に固定することができるとともに、取付強度を向上させ、また、取付作業も行い易くなる。さらに、室外側見付面２３aとリフォーム用サッシ枠５との間に設けられた第１の水密材３７が、リフォーム用サッシ枠５と下地枠４との間に十分に接触することができ、よって、これらの間の水密性を一層確実に確保することができる。
【００４５】
下地枠４は、コーナー部材１７と中間部材１８とを備えているので、このように複数の部材に分割することによって、コーナー部材１７の取り付けが行いやすくなる。また、前記中間部材１８を、実際の寸法に合わせて長さ調節を容易に行うことができ、よって、寸法違いの各種サッシに対応して取り付けることができる。さらに、接合部分２５に防水シート２６が貼り付けられているので、この接合部分２５の防水性を確保することができる。
【００４６】
前記下地枠４は、樹脂からなる押出成形品であるので、樹脂から押出成形することによって容易に製造することができる。また、アルミニウムからなる押出成形品とした場合に比して、断熱性に富むとともに下地枠４がアルミニウムの銀色の色彩とならずに見栄えが良い。
【００４７】
前記開口部２周囲の外壁面２dに取り付けられた外壁材３９と、リフォーム用サッシ枠５との間には、第３の水密材４０が密接して設けられているので、外壁材３９とリフォーム用サッシ枠５との間の防水性を確保することができる。
【００４８】
前記第１の水密材３７は、リフォーム用サッシ枠５に設けられているので、この第１の水密材３７が設けられたリフォーム用サッシ枠５を下地枠４に取り付けることによって、同時に、リフォーム用サッシ枠５と下地枠４との間の防水性を確保することができる。また、前記第２の水密材２２は、下地枠４に設けられているので、この第２の水密材２２が設けられた下地枠４を既存サッシ枠３に取り付けることによって、同時に、下地枠４と既存サッシ枠３との間の防水性を確保することができる。したがって、従来のように、既存サッシ枠に連結金具を取り付け、さらに連結金具に新設サッシ枠を取り付けたうえで、既存サッシ枠と新設サッシ枠との継ぎ目部分に新たに防水処理を施す必要がなく、施工作業の簡略化を図ることができる。
【００４９】
また、例えば、下既存サッシ枠材８にサッシ枠形状確認治具４３を使用して、該下既存材８に取り付けられる縦既存サッシ枠材６を確認するので、下既存サッシ枠材８にはめ込まれる縦既存サッシ枠材６を間違えることなく、容易に確認することができ、よって、この取付作業をスムーズに行うことができる。
【００５０】
なお、本発明の実施の形態では、前記第１の水密材３７はリフォーム用サッシ枠５に設けられていたが、例えば、下地枠４の室外側見付面２３aに設けても良い。また、前記第２の水密材２２は下地枠４に設けられていたが、例えば、既存サッシ枠５に設けても良い。
【００５１】
また、前記下地枠４のコーナー部材１７や中間部材１８は、樹脂からなる押出成形品であるとしたが、例えば、アルミニウムからなる押出成形品としても良い。この場合は、樹脂からなる押出成形品として場合に比して、耐久性や密閉性に優れる。
【００５２】
さらに、前記既存サッシ枠３やリフォーム用サッシ枠５は、引き違い戸用のサッシ枠であったが、例えば、図９および図１０に示すように、はめ殺し窓用のサッシ枠としても良い。なお、この場合の取付構造は、上述したものと同様の構造であるので、同様の構成部分については同様の符号を付してその説明を省略する。
【図面の簡単な説明】
【００５３】
【図１】本発明の実施の形態を示すためのもので、リフォーム用サッシ枠の取付構造を示す平断面図である。
【図２】同、図１の拡大図である。
【図３】同、リフォーム用サッシ枠の取付構造を示す側断面図である。
【図４】同、下地枠の要部を示す斜視図である。
【図５】同、下地枠を取り付ける様子を示す斜視図である。
【図６】同、リフォーム用サッシ枠を取り付ける様子を示す斜視図である。
【図７】同、(a)〜(d)は、リフォーム用サッシ枠の取付方法を示す側断面図である。
【図８】同、サッシ枠形状確認治具の斜視図である。
【図９】本発明の実施の形態のその他の実施の形態を示すためのもので、リフォーム用サッシ枠の取付構造を示す平断面図である。
【図１０】同、リフォーム用サッシ枠の取付構造を示す側断面図である。
【符号の説明】
【００５４】
１ 建物躯体
２ 開口部
２d 外壁面
３ 既存サッシ枠
４ 下地枠
５ リフォーム用サッシ枠
１１，１４，１５ レール部
１７ コーナー部材
１８ 中間部材
２２ 第２の水密材
２３ 覆い部
２３a 室外側見付面
２５ 接合部分
２６ 防水シート
３７ 第１の水密材
３９ 外壁材
４０ 第３の水密材
【図１】
0004697976.tif 000002
【図２】
0004697976.tif 000003
【図３】
0004697976.tif 000004
【図４】
0004697976.tif 000005
【図５】
0004697976.tif 000006
【図６】
0004697976.tif 000007
【図７】
0004697976.tif 000008
【図８】
0004697976.tif 000009
【図９】
0004697976.tif 000010
【図１０】
0004697976.tif 000011